(57)【要約】【課題】加速度検出装置の校正処理。【解決手段】互いに直交する少なくとも２方向の加速度を検知する感受部を有する加速度センサを具備する加速度検出装置であって、少なくとも２方向の加速度を感知する感受軸には重力加速度が印加されない設置状態と、重力加速度方向と各加速度感受軸の方向が任意な角度を有する様に傾けた設置状態の２段階で零Ｇ識別値と１Ｇ識別値の校正を行い、加速度センサ出力を該校正値で補正する演算処理回路を有する事を特徴とする加速度検出装置。【選択図】　　　図１
2004093552.tif 000002
【特許請求の範囲】
【請求項１】
互いに直交する少なくとも２方向の加速度を検知する感受部を有する加速度センサを具備する加速度検出装置であって、少なくとも２方向の加速度を感知する感受軸には重力加速度が印加されない設置状態と、重力加速度方向と各加速度感受軸の方向が任意な角度を有する様に傾けた設置状態の２段階で零Ｇ識別値と１Ｇ識別値の校正を行い、加速度センサ出力を該校正値で補正する演算処理回路を有する事を特徴とする加速度検出装置。
【請求項２】
互いに直交する少なくとも２方向の加速度を検知する感受部を有する加速度センサと温度を検知する温度感知部を具備する加速度検出装置であって、少なくとも２方向の加速度を感知する感受軸には重力加速度が印加されない設置状態と、重力加速度方向と各加速度感受軸の方向が任意な角度を有する様に傾けた設置状態の２段階で温度による関数で表される零Ｇ識別値と１Ｇ識別値の校正を行い、加速度センサ出力を温度に応じた該温度関数校正値で補正する演算処理回路を有する事を特徴とする加速度検出装置。
【請求項３】
重力加速度方向と各加速度感受軸の方向が任意な角度を有する様に傾けた設置状態１と、設置状態１と異なる角度に傾けた設置状態２の少なくとも２段階で校正する事を特徴とする請求項１および２に記載の加速度検出装置。
【発明の詳細な説明】
【０００１】
【発明の属する技術分野】
本発明は、自動車、航空機、産業機器、カメラ、携帯端末機器、人間工学、医療、時計、玩具、ゲ−ム等に用いられる振動、傾き、移動距離、移動方向を検出する加速度検出装置に関するものである。
【０００２】
【従来の技術】
振動、傾き、移動距離、移動方向を検出する方法とし加速度センサが広く使われている。加速度センサは加速度によって生じる力を電圧等の電気的な値に変換し検出している。しかし、感受部は製造ばらつき等によって固有の特性を持つため、そのままでは使用することはできない。そこで、センサを既知の加速度状態に置いて、加速度に比例した一定出力が得られる様に校正する必要がある。
【０００３】
校正方法の一例として、校正治具を用いて行う方法が特許第３１１１０１７号に開示されている。しかし、同方法では感度（１Ｇ当たりの出力レベル）校正のみで、無重力（零Ｇ）状態の出力レベルを校正することはできない。
【０００４】
近年、マイクロマシン製造技術の進展により、１Ｇ以下の加速度を検出可能な静電容量型と半導体ピエゾ抵抗型の高感度品が普及して来ている。高感度品は振動検出のみならず傾斜などの傾き検出や移動距離、移動方向の検出に使用されることが多く、零Ｇ出力レベルの校正が必須となっている。
【０００５】
加速度センサの感度、零Ｇ出力レベルの校正方法として、各感受軸を重力加速度方向と一致あるいは直交させる事で、１Ｇあるいは零Ｇの状態を作って行うことができる。２軸あるいは３軸の加速度センサでは、各軸に対し１Ｇあるいは零Ｇの状態を得るのに最低３状態をとる必要がある。３軸加速度センサの校正の一例を以下に記す。
【０００６】
▲１▼センサのＺ軸と重力加速度方向を一致させて校正を実行する。ここでは、
Ｘ軸出力　Ｖｘ′＝Ｖｘ０
Ｙ軸出力　Ｖｙ′＝Ｖｙ０
Ｚ軸出力　Ｖｚ′＝［−Ｖｚｓ］＋Ｖｚ０　　を得る。
▲２▼センサのＸ軸と重力加速度方向を一致させて校正を実行する。ここでは、
Ｚ軸出力　Ｖｚ″＝Ｖｚ０
Ｘ軸出力　Ｖｘ″＝Ｖｘｓ＋Ｖｘ０　　を得る。
▲３▼センサのＹ軸と重力加速度方向を一致させ校正を実行する。ここでは、
Ｙ軸出力　Ｖｙ″＝Ｖｙｓ＋Ｖｙ０　　を得る。
以上の校正操作により各軸の感度（１Ｇ出力）、零Ｇ出力の校正値が次に示すように求められる。
Ｘ軸　；　零Ｇ出力　Ｖｘ０／感度　Ｖｘｓ＝Ｖｘ″−Ｖｘ０
Ｙ軸　；　零Ｇ出力　Ｖｙ０／感度　Ｖｙｓ＝Ｖｙ″−Ｖｙ０
Ｚ軸　；　零Ｇ出力　Ｖｚ０／感度　Ｖｚｓ＝Ｖｚ′＋Ｖｚ０
【０００７】
前記、各軸の校正値を処理回路に登録し、感受部で計測された各軸の出力Ｖｘ，Ｖｙ，Ｖｚに対し演算を施す事により、センサの固有の感度、零Ｇ出力ばらつきが補正され、加速度に比例した一定のデ−タＤｘ，Ｄｙ，Ｄｚが出力される。
Ｄｘ＝（Ｖｘ−Ｖｘ０）／Ｖｘｓ
Ｄｙ＝（Ｖｙ−Ｖｙ０）／Ｖｙｓ
Ｄｚ＝（Ｖｚ−Ｖｚ０）／Ｖｚｓ
上記式では、感受部に１Ｇの加速度が加わった場合、１が出力される。
【０００８】
静電容量型と半導体ピエゾ抵抗型高感度加速度センサは環境温度変化により構成部材の熱歪み変形が発生し、電極間ギャップ変化あるいは応力変化により零Ｇ出力、感度が変化しやすい欠点ある。また、半導体ピエゾ抵抗型では応力変化に加え、ピエゾ抵抗素子の抵抗値ならび抵抗変化率が温度特性を有するためさらに零Ｇ出力と感度を変化させる要因となっている。
【０００９】
【発明が解決しようとする課題】
加速度センサを校正する場合、感受部（センサ）単体では校正を行うことはできず、校正値を登録し、演算できる処理回路を必要とし加速度検出センサと校正値の登録と演算する処理回路を有する加速度検出装置とする必要がある。加速度検出装置として製品にする場合、工場出荷時に校正を行う事は可能である。しかし、加速度検出装置の実装面積が限られる製品ではユ−ザ−側で処理回路を設計するケ−スが多く、その場合ユ−ザ−側で校正を行わなければならない。前記従来方法では製品装置を９０°しかも３回、設置状態を変化させる必要があり、校正に費やす工数もさることながら設置状態を変化させる校正用装置も大掛かりになり、製造コストがあがる事になる。
【００１０】
本発明は、加速度検出装置を含む製品製造工程での校正作業において、傾斜角度が小さく、２段階の設置状態で校正でき、設置状態を変化させる校正用装置の小型化を図り、安価で高精度な加速度検出装置を提供することを目的とする。また、環境温度による零Ｇ出力、感度変化の補正も可能とする高精度な加速度検出装置を提供することを目的とする。
【００１１】
【課題を解決するための手段】
請求項１に記載の本発明の加速度検出装置は、互いに直交する少なくとも２方向の加速度を検知する感受部を有する加速度センサを具備する加速度検出装置であって、少なくとも２方向の加速度を感知する感受軸には重力加速度が印加されない設置状態と、重力加速度方向と各加速度感受軸の方向が任意な角度を有する様に傾けた設置状態の２段階で零Ｇ識別値と１Ｇ識別値の校正を行い、加速度センサ出力を該校正値で補正する演算処理回路を有する事を特徴とする。
【００１２】
互いに直交する３方向の加速度を検知する感受軸を有するいわゆる３軸加速度センサが各軸それぞれに重力加速度が印加される様に傾斜したときの各軸が感知する加速度は以下の式で表される
Ｘ軸感知加速度　Ｘｇ＝ｓｉｎ（θｚ）・ｃｏｓ（θｘ）――――（１）式
Ｙ軸感知加速度　Ｙｇ＝ｓｉｎ（θｚ）・ｓｉｎ（θｘ）――――（２）式
Ｚ軸感知加速度　Ｚｇ＝ｃｏｓ（θｚ）．．．．．．．．．．．．（３）式
ここで、θｚは重力加速度方向とセンサＺ軸がなす角度。θｘはθｚ面とセンサＸ軸がなす角度を示す。
【００１３】
校正の手順を以下に記す。
▲１▼　Ｘ軸、Ｙ軸には重力加速度が印加されない様にセンサのＺ軸と重力加速度方向を一致（θｚ＝０°）させた設置状態で校正を実行する。
ここでは、
Ｘ軸出力　Ｖｘ′＝Ｖｘ０
Ｙ軸出力　Ｖｙ′＝Ｖｙ０
Ｚ軸出力　Ｖｚ′＝［−Ｖｚｓ］　＋　Ｖｚ０
が得られる。
▲２▼　力加速度方向と感受軸の方向が任意な角度を有する様にセンサを既知のθｚ、θｘだけ傾けた設置状態で校正を実行する。
ここでは
Ｘ軸出力　Ｖｘ″＝｛ｓｉｎ（θｚ）・ｃｏｓ（θｘ）｝・Ｖｘｓ＋Ｖｘ０
Ｙ軸出力　Ｖｙ″＝｛ｓｉｎ（θｚ）・ｓｉｎ（θｘ）｝・Ｖｙｓ＋Ｖｙ０
Ｚ軸出力　Ｖｚ″＝｛ｃｏｓ（θｚ）｝・［−Ｖｚｓ］＋Ｖｚ０
が得られる。
【００１４】
以上の操作により各軸の感度（１Ｇ出力）、零Ｇ出力の校正値が以下の通り求められる。
2004093552.tif 000003
θｚ、θｘの範囲は限定されることはなく、±１８０°いずれでも構わない。
【００１５】
前記校正値を処理回路に登録し、感受部で計測された各軸の出力Ｖｘ，Ｖｙ，Ｖｚに対し演算を施す事により、センサ−の固有の感度、零Ｇ出力ばらつきが補正され、加速度に比例した一定のデ−タＤｘ，Ｄｙ，Ｄｚが出力される。
Ｄｘ＝（Ｖｘ−Ｖｘ０）／Ｖｘｓ
Ｄｙ＝（Ｖｙ−Ｖｙ０）／Ｖｙｓ
Ｄｚ＝（Ｖｚ−Ｖｚ０）／Ｖｚｓ
上記式では、感受部に１Ｇの加速度が加わった場合、１が出力される。
前記説明では最初にθｚ＝０°の設置状態、次いでθｚ、θｘに変化を加えた設置状態の順で校正を行っているが、その順番は逆でも良いものである。
【００１６】
請求項２に記載の本発明の加速度検出装置は、静電容量型および半導体ピエゾ抵抗型の欠点である零Ｇ出力、感度の温度ドリフトを補正するために温度センサを付加して、少なくとも２方向の加速度を感知する感受軸には重力加速度が印加されない設置状態と、重力加速度方向と各加速度感受軸の方向が任意な角度を有する様に傾けた設置状態の２段階で温度による関数で表される零Ｇ識別値と１Ｇ識別値の校正を行い、加速度センサ出力を温度に応じた該温度関数校正値で補正する事を特徴とする。
【００１７】
温度センサからの温度デ−タから、温度関数として各軸の感度、零Ｇ出力の校正値を保存し、補正すれば温度によって感度、零Ｇ出力が変化しても加速度に比例した一定のデ−タＤｘ，Ｄｙ，Ｄｚが出力される。
Ｄｘ＝（Ｖｘ−Ｖｘ０（Ｔ））／Ｖｘｓ（Ｔ）
Ｄｙ＝（Ｖｙ−Ｖｙ０（Ｔ））／Ｖｙｓ（Ｔ）
Ｄｚ＝（Ｖｚ−Ｖｚ０（Ｔ））／Ｖｚｓ（Ｔ）
感度、零Ｇ出力の温度関数は、温度が異なる２ポイント以上で前記▲１▼▲２▼手順で校正を実行し、２次あるいは３次関数で近似式を求めるのが望ましい。
【００１８】
たとえば温度Ｔ１の時、校正を実行すると各軸の零Ｇ出力、感度はそれぞれＶｘ０（Ｔ１），Ｖｙ０（Ｔ１），Ｖｚ０（Ｔ１），Ｖｘｓ（Ｔ１），Ｖｙｓ（Ｔ１），Ｖｚｓ（Ｔ１）と校正値が得られる。温度Ｔ２では、Ｖｘ０（Ｔ２），Ｖｙ０（Ｔ２），Ｖｚ０（Ｔ２），Ｖｘｓ（Ｔ２），Ｖｙｓ（Ｔ２），Ｖｚｓ（Ｔ２）と校正値が得られる。温度Ｔ３では、Ｖｘ０（Ｔ３），Ｖｙ０（Ｔ３），Ｖｚ０（Ｔ３），Ｖｘｓ（Ｔ３），Ｖｙｓ（Ｔ３），Ｖｚｓ（Ｔ３）と校正値が得られる。
これら、温度Ｔ１，Ｔ２，Ｔ３でのそれぞれの校正値を２次関数近似して温度Ｔに対する零Ｇ出力、感度の関数Ｖｘ０（Ｔ），Ｖｙ０（Ｔ），Ｖｚ０（Ｔ），Ｖｘｓ（Ｔ），Ｖｙｓ（Ｔ），Ｖｚｓ（Ｔ）を求めれば良い。そして、温度センサからの温度デ−タＴに対応する校正値を出力Ｖｘ，Ｖｙ，Ｖｚに演算する。
【００１９】
請求項３に記載の本発明の加速度検出装置は、重力加速度方向と各加速度感受軸の方向が任意な角度を有する様に傾けた設置状態と、該傾斜と異なる角度に傾けた設置状態の少なくとも２段階で校正する事を特徴とする。
【００２０】
前記（１）から（３）式を利用して校正を行う場合、２方向の加速度を感知する感受軸には重力加速度が印加されない設置状態を必ずしもとる必要はなく、傾斜角の異なる２設置状態をとる事でも校正は可能である。
【００２１】
校正手順を以下に記す。
▲１▼　センサ−を既知のθｚ′，θｘ′だけ傾けて校正を実行する。
ここでは、
Ｘ軸出力　Ｖｘ′＝｛ｓｉｎ（θｚ′）・ｃｏｓ（θｘ′）｝・Ｖｘｓ＋Ｖｘ０
Ｙ軸出力　Ｖｙ′＝｛ｓｉｎ（θｚ′）・ｓｉｎ（θｘ′）｝・Ｖｙｓ＋Ｖｙ０
Ｚ軸出力　Ｖｚ′＝｛ｃｏｓ（θｚ′）｝・［−Ｖｚｓ］＋Ｖｚ０
が得られる。
▲２▼　センサ−を既知のθｚ″，θｘ″だけ傾けて校正を実行する。
ここでは、
Ｘ軸出力　Ｖｘ″＝｛ｓｉｎ（θｚ″）・ｃｏｓ（θｘ″）｝・Ｖｘｓ＋Ｖｘ０
Ｙ軸出力　Ｖｙ″＝｛ｓｉｎ（θｚ″）・ｓｉｎ（θｘ″）｝・Ｖｙｓ＋Ｖｙ０
Ｚ軸出力　Ｖｚ″＝｛ｃｏｓ（θｚ″）｝・［−Ｖｚｓ］＋Ｖｚ０
が得られる。
以上の操作により各軸の感度（１Ｇ出力）、零Ｇ出力の校正値が以下の通り求められる。
2004093552.tif 000004
【００２２】
加速度センサと処理回路からなる加速度検出装置、またはそれを搭載した製品であっても２段階で、小さい傾斜を与える事で零Ｇ出力と感度（１Ｇ出力）の校正が可能である。感受部出力をその校正値で補正することで感受部の製造ばらつきに起因した個々の特性ばらつきがあっても感受部に加わる加速度に比例した一定の出力を得る事ができる。また、加速度検出装置あるいはそれを搭載した製品内に温度センサを設け温度に依存した零Ｇ出力と感度の校正値を得ることで感受部の温度ドリフトをも補正可能である。
【００２３】
【実施例】
図面を用いて本発明の実施形態について以下詳細に説明する。図１は本発明の加速度検出装置の一実施形態の斜視図、図２は本発明の加速度検出装置１の処理回路のブロック図を示す。加速度検出装置１は配線基板２０上に、加速度センサ２とその出力を増幅するアンプ３、アナログ信号をデジタルに変換するＡ／Ｄコンバ−タ４、校正値を登録保存しておくメモリならび補正演算処理を行うマイクロプロセッサ−５で構成した。判り易くするため、同一の部品、部位には同じ符号を用いている。
【００２４】
加速度センサ２はセラミックパッケ−ジに密封された半導体ピエゾ抵抗型３軸加速度センサを使用した。図３にパッケージ内に実装されている半導体ピエゾ抵抗型３軸加速度センサチップの模式図を示す。図３ａ）に該センサチップの斜視図、図３ｂ）はピエゾ素子の配置を示す平面図（配線パタ−ン、端子等は図示せず）である。該センサチップ１０はシリコンを母材して支持部１１、梁１２、錘１３を形成し、錘１３が外力に応じ可動することで梁が変形し応力が発生する構造となっている。ピエゾ素子１４は梁上の最も応力集中が起こる位置に１軸あたり４素子、３軸で計１２素子それぞれ配置されおり、各軸で各々ブリッジ回路を構成している。
【００２５】
加速度に対応する出力は各ブリッジ回路に一定電圧を印加し、応力によって起こるピエゾ素子の抵抗変化を電圧変化として得ている。本実施例では、５Ｖの一定電圧を印加した。Ｘ，Ｙ，Ｚ軸の感度（１Ｇ当たりの出力）、零Ｇ出力は表１に示す値であった。表１の値は、アンプ３で増幅する前の値である。
表１
2004093552.tif 000005
【００２６】
アンプ３の増幅率は１００に設定した。従って、アンプ後の感度、零Ｇ出力はおよそ１００倍となる。表１に示すようにＸ、Ｙ、Ｚ軸間で感度、零Ｇ出力は異なった数値である。またセンサ間でもこの値は異なっている。従って、このままで使用した場合、加速度に比例した一定の値が得られず加速度検出装置を配したアプリケ−ションが正常に動作しないと言う不具合が生じてしまう。
【００２７】
既知の重力加速度下で校正を行い、出力の補正を行った。図４に、加速度検出装置の校正時の設置状態を示す。
まず、加速度検出装置１を加速度センサ２のＸ軸、Ｙ軸に重力加速度が印加されない状態θｚ＝０°（Ｚ軸と重力加速度方向が一致）に設置し校正を実行した｛図４ａ｝に示す｝。アンプ３での増幅後の値は、Ｘ軸出力Ｖｘ′は１２３ｍＶ、Ｙ軸出力Ｖｙ′は−１０１ｍＶ、Ｚ軸出力Ｖｚ′は−１５１ｍＶであった。つまり、Ｘ軸の零Ｇ出力Ｖｘ０は１２３ｍＶ、Ｙ軸の零Ｇ出力Ｖｙ０は−１０１ｍＶである。
【００２８】
次に、加速度検出装置１を加速度センサ２のＸ、Ｙ、Ｚ軸それぞれに重力加速度が加わる様にθｚ＝３０°、θｘ＝４５°傾斜した状態に設置し校正を実行した｛図４ｂ｝に示す｝。アンプ３での増幅後の値は、Ｘ軸出力Ｖｘ″は２４７ｍＶ、Ｙ軸出力Ｖｙ″は２６ｍＶ、Ｚ軸出力Ｖｚ″は−９７ｍＶであった。
【００２９】
以上の操作により各軸の感度（１Ｇ出力）、零Ｇ出力の校正値を下記計算式に代入した。表２に求めた校正値を示す。
2004093552.tif 000006
表２
2004093552.tif 000007
【００３０】
表２に示す校正値をメモリに保存し、計測された出力にマイクロプロセッサ５で下記に示す演算補正を施した。
補正出力値＝（計測値−零Ｇ出力校正値）／感度校正値
得られる補正出力値は、理論的には加速度０Ｇのときは“０”、１Ｇが印加されたとき“１”が、２Ｇ印加された場合は“２”が出力されることになる。実際に既知の加速度を加えて確認したところ検出誤差は１％以内であった。
【００３１】
前記実施例では、最初にθｚ＝０°の設置状態で校正を行い次にθｚ＝３０°、θｘ＝４５°の設置状態で校正を行った一例を説明したが、必ずしもθｚ＝０°の設置状態をとる必要はない。装置の傾斜が異なる２つの設置状態をとる事でも同様な校正が可能である。設置状態▲１▼でθｚ＝１０°、θｘ＝２０°、設置状態▲２▼でθｚ＝２０°、θｘ＝４５°として校正を行ったところ前記実施例同様、検出誤差は１％以内であった。
【００３２】
本発明の他の実施例を以下に説明する。実験に使用した加速度センサ２の感度、零Ｇ出力の温度ドリフト特性を図５に示す。図５ａ）に環境温度と感度の関係、図５ｂ）に環境温度と零Ｇ出力の関係を示す。センサ固有の特性により感度、零Ｇ出力が環境温度によって変動する事が分かる。そこで加速度検出装置１に温度センサを付加して環境温度を−２０℃、２５℃、５０℃と３点変化させて、各温度で本発明の２段階法校正処理を施した。各温度での校正値を表３に示す。
表３
2004093552.tif 000008
【００３３】
表３の環境温度Ｔに対する感度、零Ｇ出力の校正値を２次関数近似した。
Ｘ軸感度の温度関数　；０．００２０Ｔ２−０．３８８Ｔ＋３５８．５
Ｙ軸感度の温度関数　；０．００２３Ｔ２−０．４１１Ｔ＋３６８．９
Ｚ軸感度の温度関数　；０．００３０Ｔ２−０．１０４Ｔ＋４００．７
Ｘ軸零Ｇ出力の温度関数　；０．００００６Ｔ２−０．０４５Ｔ＋１２１．１
Ｙ軸零Ｇ出力の温度関数　；０．００１Ｔ２−０．０９０Ｔ−９７．８
Ｚ軸零Ｇ出力の温度関数　；−０．００５５Ｔ２＋１．０５０Ｔ＋２２７．２
これらの温度関数をメモリに保存し、温度センサからの温度をフィ−ドバックして環境温度Ｔに応じた校正値（零Ｇ出力校正値（Ｔ）、感度校正値（Ｔ））を導き出した。そして計測された出力にマイクロプロセッサ５で下記演算補正を施した。
補正出力値＝｛計測値−零Ｇ出力校正値（Ｔ）｝／感度校正値（Ｔ）
−４０℃から８５℃の範囲で環境温度を変えながら既知の加速度を加えて測定したところ、検出誤差は３％以内であった。
【００３４】
以上説明した通り、本発明の加速度検出装置は２段階で、低傾斜角を与える事で零Ｇ出力と感度（１Ｇ出力）の校正が可能で、感受部出力をその校正値で補正することで感受部の製造に起因した個々の特性ばらつきがあっても感受部に加わる加速度に比例した一定の出力を得る事ができる。また、温度に依存した零Ｇ出力と感度の校正値を得ることで感受部の温度ドリフトをも補正可能である。
さらに低角度傾斜、２段階で校正できる事から校正用装置が簡略化され安価で高精度の加速度検出装置の提供が可能となる。
【図面の簡単な説明】
【図１】本発明の加速度検出装置の斜視図。
【図２】本発明の加速度検出装置の処理回路のブロック図。
【図３】半導体ピエゾ抵抗型３軸加速度センサチップの模式図。
【図４】本発明の加速度検出装置の校正時の設置状態を示す図。
【図５】加速度センサの感度、零Ｇ出力の温度ドリフト特性を示す図。
【符号の説明】
１　加速度検出装置、２　加速度センサ、３　アンプ、
４　Ａ／Ｄコンバ−タ、５　マイクロプロセッサ−、
１０　半導体ピエゾ抵抗型３軸加速度センサチップ、１１　支持部、１２　梁、
１３　錘、１４　ピエゾ素子、２０　配線基板。
【図１】
2004093552.tif 000009
【図２】
2004093552.tif 000010
【図３】
2004093552.tif 000011
【図４】
2004093552.tif 000012
【図５】
2004093552.tif 000013